(57)【要約】      （修正有）【課題】小型発光体から超大型発光体まで対応でき、均一な明るさで軽量な三角柱ＬＥＤモジュール台座を提供する。【解決手段】断面が三角形で、その中央が中空２である三角柱の各面において三角柱１の高さ方向の中心線に沿ってＶ字型溝３を形成する。【選択図】図１
0003180246.tif 000002
【実用新案登録請求の範囲】
【請求項１】
看板や立体発光物の光源にＬＥＤを使用する時、中央を中空にした三角柱のＬＥＤモジュール台座で、その表面に取り付けたＬＥＤ光が三角柱を中心に周囲３６０度均一に光放射が出来るようにする構造物で、三角柱の形材はそのまま長尺で使う場合もあり、図７の通り短く断裁して中心に金属太線を通して、ＬＥDモジュールの間隔を自由に調整できるようにすることも可能とした、三角柱ＬＥＤモジュール台座。
【請求項２】
立体発光物の光源にLEDモジュールを取り付ける三角柱台座であり、軽くて加工性が良く、ＬＥＤの放熱を助ける熱伝導率の良い材料のアルミ押し出し形材で出来た、前記請求項１記載の三角柱ＬＥＤモジュール台座。
【請求項３】
立体発光物の光源にＬＥＤモジュールを取り付ける三角柱台座で、その３面の中心部にネジ穴を空ける時の当たりを付けるためのＶ型溝（３）を形成した、前記請求項１記載の三角柱ＬＥＤモジュール台座。
【考案の詳細な説明】
【技術分野】
【０００１】
発光効率の良いＬＥＤをモジュールに仕立てて、台座に取り付ける時、周囲への光供給効率を最も良くする事が、ＬＥＤの性能を引き出すことであり、光の供給元でロスの発生を最小限度に抑える事が重要である。その目的に沿ってＬＥＤモジュールを取り付ける装置である。
【背景技術】
【０００２】
色々な発光体にＬＥＤが使われるようになった、しかし発光体の形状によっては現在のＬＥＤ電球形式では使い勝手が悪く、もっと発光体の形状に合わせた取り付け方法が要求されるようになってきた。ＬＥＤの光源は小さくそれを多数並べて取り付ける時、それぞれの向きを発光体の要求に沿って取り付ける必要がある。それらの要求に合わせた光源取り付け台座である。
【０００３】
ＬＥＤの発光体を多数取り付ける時、発光体の中から表面の外枠光拡散部に向かって効率よく、出来るだけ均等に光を当てる必要がある。外枠光拡散部は内部からの光によって光拡散して外枠が光りその形状を明確にする、この為外枠に向かう光を制御する装置が必要となる。
【先行技術文献】
【特許文献】
【０００４】
【特許文献１】特開  平０７−１４０９１４号公報
【考案の概要】
【考案が解決しようとする課題】
【０００５】
ＬＥＤによる設置方法で、ＬＥＤモジュールを図８のように支柱の２面に取り付けると左右の側面部分が暗くなる。図９のように支柱の４面に取り付けると、全体は明るくなるものの、光の重複（１２）で過剰な明るさの部分が出来て、光のムラガ出来る。
【０００６】
ＬＥＤモジュールを支柱の４面に取り付ける時、長手方向に多数つけて均一な明るさを出す場合ＬＥＤモジュールの使用量が多くなり、その分材料コストが高くなる。
【０００７】
ＬＥＤモジュールを支柱の４面に取り付ける時、そのＬＥＤモジュール使用量が多くなるとその分の消費電力も増加して、ＬＥＤによる省エネルギーの目的と逆行する。
【０００８】
看板や発光表示物が変形の時、その光源の取り付け方法は複雑になる。また、ソケットや骨材を多数組み合わせるため、重量も増えてくる。
【課題を解決するための手段】
【０００９】
ＬＥＤモジュールを正三角形のアルミ押し出し形材の表面に取り付けて点灯する、ＬＥＤモジュールの放射角は１２０度で三面に取り付けると、３６０度となり周囲全面を均等に照射する事が出来る。四角形或いはそれ以上の角の支柱に取り付ける場合に比べ、光のロスが最小限に抑えられる。
【００１０】
ＬＥＤモジュールを取り付ける時、図９の様に４面に取り付けると、光の影は無くなるもののＬＥＤの使用量が増えて消費電力が上がる、１ｍの長さに７段付けた場合、４面に場合２７個必要である、３面の場合２１個であり、その使用量は４面に比べ２２％減らす事が出来る。直接材料費の削減が可能であり、同時にランニングコストの消費電力を削減する。
【００１１】
三角柱は主にアルミを使用し、押し出し形材として製作する。アルミ押し出し形材は軽量で加工性が良く、光源の取り付け骨材には最適である。また、熱伝導性も良くＬＥＤの放熱材としての機能も発揮する。
【００１２】
アルミ押し出し形材は短く切断して、その表面にＬＥＤモジュールを取り付ける、押し出し形材の中心部に空いた穴に金属太線を通して適度の位置でネジで固定する。この事でＬＥＤモジュールの間隔を自由に調整できる。また、金属太線は曲げる事が出来るので変形の表示物や複雑な発光体の光源として使いやすい。更に、中央の中空部に金属片をネジ止めし、その金属片を針金で連結する事で、柔軟な光源を作る事が出来る。
【考案の効果】
【００１３】
LEDモジュールによる立体発光体の光源は、必要な光を必要な箇所に均等分散して内部から照射して外枠の光拡散部を発光させる。その取り付け方法は図５の様に円柱の場合に最も効率よく光を取り出す事が出来る。また、図７の様に金属太線を通してスライドさせることにより、その位置を自由に変更して最適な明るさを演出する事が出来る。小型発光体から超大型発光体まで対応する事が出来る、それは均一な明るさで軽量であり、発光体の訴求とともに製作コストを軽減し、省エネルギーを実現する。
【図面の簡単な説明】
【００１４】
【図１】図１はＬＥＤモジュールを取り付ける三角柱の断面図
【図２】図２は三角柱にＬＥＤモジュールを取り付けた断面図
【図３】図３は球形の発光体にＬＥＤを取り付けた側面図
【図４】図４は球形の発光体にＬＥＤを取り付けた断面図
【図５】図５は円筒形の発光体にＬＥＤを取り付けた側面図
【図６】図６は円筒形の発光体にＬＥＤを取り付けた断面図
【図７】図７は短形の三角柱に金属太線を通した側面図
【図８】図８は四角柱の２面にＬＥＤモジュールを取り付けた断面図
【図９】図９は四角柱の４面にＬＥＤモジュールを取り付けた断面図
【考案を実施するための形態】
【００１５】
立体発光体の光源を取り付ける時、発光させる外枠光拡散部に内部から均一に光を当てる必要がある。光が当たらないとその部分のみ暗くなり、光が強く当たり過ぎるとその部分が光りすぎて全体のバランスを欠く。立体発光体の内部から外枠に均一に光を当てるには、現在主流であるＬＥＤの発光角度に注目して設計した。現在主流のＬＥＤチップの発光角度は１２０度である。この角度で３面に放射すると３６０度となり、均一な光を放射する事が出来る。この事を実現するため、ＬＥＤモジュールを取り付ける台座を三角形として、隣接するそれぞれの面が１２０度になるようにした。この事で三角柱の面にＬＥＤモジュールを取り付けると、３６０度均一な光を放射する事が出来るようになった。
【００１６】
三角柱のアルミ押し出し形材を短形に切断して、それを金属太線に通してＬＥＤモジュールを取り付ける。三角柱は１本の長い台座であるが、ＬＥＤモジュールの間隔を広くしたい時は三角柱を多く使用する事になる、短形の三角柱は金属太線上をスライドさせる事で最適な間隔を簡単に設定する事が出来る。また、変形の発光体に対応する光源を作る時にも金属太線を曲げることにより自由に光源の形状を変える事が出来る。
【００１７】
三角柱のアルミ押し出し形材の台座は、変形の発光体や大型発光体に対応する。従来の光源は構造体、電球、ソケット、配線等色々な要素を加味して設計する必要があったが、三角柱台座及び金属太線によるＬＥＤモジュールの位置決めでは、発光体と構造体が最小の材料で構成されており、尚且つアルミ押し出し形材のため、軽量であり、光源の構造物は最軽量でできる。また、アルミ押し出し形材による放熱も促進され軽量で安全な光源が実現できる。
【実施例１】
【００１８】
円柱形や四角柱形の発光体を製作する時、図５の通りその中心部分に三角柱（１）を設置してその表面にＬＥＤモジュールを取り付けて光源とする、ＬＥＤモジュールから放射される光は図２の様に１２０度の角度に放射される光が３面そろうので３６０度均一に全体を発光させる事が出来る。。
【００１９】
円柱形や四角柱形の発光体で、長手方向に大きなサイズにする場合、三角柱台座を短形に裁断した台座を金属太線で連結して長手方向に最適な位置決めをしながら調整して固定する。金属太線を使用する事で、全体の軽量化も実現する。
【００２０】
発光体が変形の場合、例えばドーナツ形の様な従来光源が取り付けにくい形状の場合、短形三角柱台座と金属太線の組み合わせで、自由に曲げ加工が出来て対応する事が出来る、これらに使用される材料は少なく、軽量で取り扱いやすい、低コストの材料を提供する事が出来る。
【００２１】
三角柱に付けられたＶ型溝は、ＬＥＤモジュールを取り付ける時にネジ止めの位置決めにする、例えばＭ３タッピングネジでＬＥＤモジュールを固定する時、下穴を２．８φ開けておくと簡単に固定する事が出来る。Ｖ型溝で位置決めも簡単であり、その作業性は簡便である。
【産業上の利用可能性】
【００２２】
三角柱を中心に周り３６０度均等に光を放出する事は、「ちょうちん」などの光源に適している。軽く消費電力も少なく、球切れも少なく、短い光源から長い光源まで色々なサイズに対応する事が出来る。
【符号の説明】
【００２３】
１    三角柱
２    中空部
３    Ｖ型溝
４    ＬＥＤモジュール
５    光放射
６    外枠光拡散部
７    発光体取り付け台
８    金属太線
９    留めネジ
１０  四角柱
１１  １２０度の光放射
１２  光の重複部
１３  光が届かない暗部
【図１】
0003180246.tif 000003
【図２】
0003180246.tif 000004
【図３】
0003180246.tif 000005
【図４】
0003180246.tif 000006
【図５】
0003180246.tif 000007
【図６】
0003180246.tif 000008
【図７】
0003180246.tif 000009
【図８】
0003180246.tif 000010
【図９】
0003180246.tif 000011
【手続補正書】
【提出日】平成24年10月4日(2012.10.4)
【手続補正１】
【補正対象書類名】実用新案登録請求の範囲
【補正対象項目名】全文
【補正方法】変更
【補正の内容】
【実用新案登録請求の範囲】
【請求項１】
看板や立体発光物の光源としてＬＥＤモジュールを固定する部材であって、断面が三角形でその中央に中空（２）になった部分を有する柱状をしており、その三角柱の３面にそれぞれＬＥＤモジュールを取り付けると、その表面に取り付けたＬＥＤ光が三角柱を中心に全方位ほぼ均一に光を放射し、看板や立体発光物をまんべんなく発光させるようにＬＥＤモジュールを固定可能とした、三角柱ＬＥＤモジュール台座。
【請求項２】
立体発光物の光源にLEDモジュールを取り付ける三角柱台座であり、軽くて加工性が良く、ＬＥＤの放熱を助ける熱伝導率の良い材料のアルミ押し出し形材で出来た、前記請求項１記載の三角柱ＬＥＤモジュール台座。
【請求項３】
立体発光物の光源にＬＥＤモジュールを取り付ける三角柱台座で、その３面の各面において三角柱の高さ方向の中心線に沿ってＶ字形溝（３）を形成する、前記請求項１記載の三角柱ＬＥＤモジュール台座。